(57)【特許請求の範囲】
【請求項１】
軸方向の両端面および内径側と外径側の一方の側面に開口した軸方向にのびる複数のスロットをもつ固定子コアと、
連続して該スロット内に設置されてコイルを形成する固定子巻線と、
該固定子コアと該コイルとを電気的に絶縁する絶縁部材と、
を備えた回転電機の固定子において、
該絶縁部材が、
該スロットの内表面に沿って広がるスロット絶縁部と、該スロット絶縁部に一体に形成された該固定子コアの軸方向の端面に沿って広がる端面鍔部と、該スロット絶縁部に一体に形成された該固定子コアの該スロットの開口した側面に沿って広がる側面鍔部と、
からなり、
周方向で隣り合ったスロットに配される絶縁部材の重なり合った端面鍔部は、絶縁シートとも重なり合っていることを特徴とする回転電機の固定子。
【請求項２】
周方向で隣り合った前記スロットに配される前記絶縁部材は、それぞれの前記側面鍔部が重なり合う請求項１記載の回転電機の固定子。
【請求項３】
周方向で隣り合った前記スロットに配される前記絶縁部材の重なり合った前記側面鍔部は、さらに、絶縁シートとも重なり合っている請求項２記載の回転電機の固定子。
【請求項４】
軸方向の両端面および内径側と外径側の一方の側面に開口した軸方向にのびる複数のスロットをもつ固定子コアと、
連続して該スロット内に設置されてコイルを形成する固定子巻線と、
該固定子コアと該コイルとを電気的に絶縁する絶縁部材と、
を備えた回転電機の固定子において、
該絶縁部材が、
該スロットの内表面に沿って広がるスロット絶縁部と、該スロット絶縁部に一体に形成された該固定子コアの軸方向の端面に沿って広がる端面鍔部と、該スロット絶縁部に一体に形成された該固定子コアの該スロットの開口した側面に沿って広がる側面鍔部と、
からなり、
周方向で隣り合った該スロットに配される該絶縁部材の重なり合った該側面鍔部は、さらに、絶縁シートとも重なり合っていることを特徴とする回転電機の固定子。
【請求項５】
周方向で隣り合った前記スロットに配される二つの前記絶縁部材は、それぞれの前記端面鍔部が重なり合っている請求項４に記載の回転電機の固定子。
【請求項６】
周方向で隣り合った前記スロットに配される前記絶縁部材の重なり合った前記端面鍔部は、さらに、絶縁シートとも重なり合っている請求項４〜５のいずれかに記載の回転電機の固定子。
【発明の詳細な説明】
【技術分野】
【０００１】
本発明は、回転電機の固定子に関し、詳しくは、固定子コアと固定子巻線との絶縁性能に優れた回転電機の固定子に関する。
【背景技術】
【０００２】
一般的に、回転電機は、周方向に交互に異なる複数の磁極を形成している回転子と、回転子と内周側または外周側で向き合う、周方向に複数のスロットを有する固定子コアと、スロットに設置されている固定子巻線が連続して形成したコイルと、を備えている。そして、固定子巻線は、導体と、該導体の外周を被覆する絶縁皮膜から構成されている。
【０００３】
この回転電機においては、固定子巻線と固定子コアとの電気絶縁性が重要となっている。すなわち、固定子巻線の絶縁皮膜に加工傷などが存在すると、固定子巻線の導体が露出することとなる。固定子巻線の導体が露出した状態で高電圧が印加されると、露出した部分と近接した固定子コアとの間で放電が生じ、周囲の異物や絶縁皮膜が炭化して、導体と固定子コアとが導通される（絶縁破壊に至る）。その結果、コイルを流れる電流が減少し、回転電機の性能が低下する。さらに、固定子コアにも電流が流れることとなり、固定子コアにおいて発生する磁束も減少する。
【０００４】
このような固定子巻線と固定子コアとの間の電気絶縁性を確保するために、固定子巻線と固定子コアとの間に絶縁部材を介在させることで両者の間の電気絶縁性を確保することが、特許文献１〜２に開示されている。
【０００５】
特許文献１には、固定子コアのスロットに挿入されているスロット絶縁部と固定子コアの軸方向の端面に鍔状に設置されたコア絶縁部を一体に有した構造のコア絶縁部材が開示されている。ここで、スロット絶縁部は、コアのスロットの内周面と略一致する形状に形成されており、スロットの開口部は開口している。
【０００６】
しかしながら、このコア絶縁部材はスロットが軸方向に沿って開口したコア内周面に対する電気絶縁性が十分に確保されていなかった。つまり、固定子巻線に製造欠陥や加工傷による皮膜欠損部が固定子コアの内周面の近傍に存在した場合には、皮膜欠損部と固定子コアとの絶縁のための距離（沿面距離）が十分に確保されなくなり、コイル導体とコア内径表面の耐電圧の低下や使用環境時の汚損によるトラッキング現象を誘発する恐れがあった。すなわち、固定子巻線と固定子コアの間の電気絶縁性が低下するという問題があった。
【０００７】
また、特許文献２には、スロット絶縁部とスロット絶縁紙折り曲げ部を一体化している絶縁紙が開示されている。
【０００８】
しかしながら、この絶縁紙は、固定子コアの側面（固定子コアの内周面）と固定子巻線との間が完全に絶縁できない構造となっている。このため、特許文献１の時と同様に、固定子巻線と固定子コアとの間の沿面距離が電気絶縁性を確保するためには不十分となり、固定子巻線と固定子コアの間の電気絶縁性が低下するという問題があった。
【特許文献１】特開２００２−１９９６４１号公報
【特許文献２】特開平８−２３７８９７号公報
【発明の開示】
【発明が解決しようとする課題】
【０００９】
本発明は上記実状に鑑みてなされたものであり、固定子巻線と固定子コアとの間の電気絶縁性が十分に確保された回転電機の固定子を提供することを課題とする。
【００１４】
また、本発明の請求項１に記載の回転電機の固定子は、軸方向の両端面および内径側と外径側の一方の側面に開口した軸方向にのびる複数のスロットをもつ固定子コアと、連続してスロット内に設置されてコイルを形成する固定子巻線と、固定子コアとコイルとを電気的に絶縁する絶縁部材と、を備えた回転電機の固定子において、絶縁部材が、スロットの内表面に沿って広がるスロット絶縁部と、スロット絶縁部に一体に形成された固定子コアの軸方向の端面に沿って広がる端面鍔部と、スロット絶縁部に一体に形成された固定子コアのスロットの開口した側面に沿って広がる側面鍔部と、からなり、周方向で隣り合ったスロットに配される絶縁部材の重なり合った端面鍔部は、絶縁シートとも重なり合っていることを特徴とする。
【００１５】
請求項２に記載の回転電機の固定子は、請求項１に記載の回転電機の固定子において、周方向で隣り合ったスロットに配される二つの絶縁部材は、それぞれの端面鍔部が重なり合っていることを特徴とする。
【００１７】
本発明の回転電機の固定子は、周方向で隣り合ったスロットに配される絶縁部材は、それぞれの側面鍔部が重なり合う。
【００１８】
請求項３に記載の回転電機の固定子は、請求項２に記載の回転電機の固定子において、周方向で隣り合ったスロットに配される絶縁部材の重なり合った側面鍔部は、さらに、絶縁シートとも重なり合っていることを特徴とする。
請求項４に記載の回転電機の固定子は、軸方向の両端面および内径側と外径側の一方の側面に開口した軸方向にのびる複数のスロットをもつ固定子コアと、連続してスロット内に設置されてコイルを形成する固定子巻線と、固定子コアとコイルとを電気的に絶縁する絶縁部材と、を備えた回転電機の固定子において、絶縁部材が、スロットの内表面に沿って広がるスロット絶縁部と、スロット絶縁部に一体に形成された固定子コアの軸方向の端面に沿って広がる端面鍔部と、スロット絶縁部に一体に形成された固定子コアのスロットの開口した側面に沿って広がる側面鍔部と、からなり、周方向で隣り合ったスロットに配される絶縁部材の重なり合った側面鍔部は、さらに、絶縁シートとも重なり合っていることを特徴とする。
請求項５に記載の回転電機の固定子は、請求項４に記載の回転電機の固定子において、周方向で隣り合ったスロットに配される二つの絶縁部材は、それぞれの端面鍔部が重なり合っていることを特徴とする。
請求項６に記載の回転電機の固定子は、請求項４〜５のいずれかに記載の回転電機の固定子において、周方向で隣り合ったスロットに配される絶縁部材の重なり合った端面鍔部は、さらに、絶縁シートとも重なり合っていることを特徴とする。
【発明の効果】
【００２３】
本発明の請求項１に記載の回転電機の固定子は、スロットの内表面に沿って広がるスロット絶縁部と、スロット絶縁部に一体に形成された固定子コアの軸方向の端面に沿って広がる端面鍔部と、スロット絶縁部に一体に形成された固定子コアのスロットの開口した側面に沿って広がる側面鍔部と、を有する絶縁部材を有している。つまり、本発明の回転電機の固定子は、固定子巻線と固定子コアとの間に絶縁部材が位置している。このため、固定子巻線に皮膜欠損部があっても、絶縁部材により固定子コアとの間で絶縁破壊を生じなくなっている。つまり、本発明の回転電機の固定子は、固定子巻線と固定子コアとの間の電気絶縁性が十分に確保された回転電機の固定子となっている。
そして、端面鍔部がさらに絶縁シートと重なり合っている。これにより、より沿面距離が長くなり、固定子コアの端面との間に絶縁破壊を生じなくなっている。
【００２４】
請求項１に記載の固定子は、隣接する二つの絶縁部材のそれぞれの端面鍔部が重なり合っている。このため、コイルを形成する固定子巻線の固定子コアの端面から突出した部分に加工傷等が発生しても、固定子コアの端面までの沿面距離が端面鍔部の表面及び裏面に沿った距離となり、固定子コアの端面との間に絶縁破壊を生じなくなっている。つまり、本発明の回転電機の固定子は、固定子巻線と固定子コアとの間の電気絶縁性が十分に確保された回転電機の固定子となっている。
【００２６】
請求項２に記載の固定子は、隣接する二つの絶縁部材のそれぞれの側面鍔部が重なり合っている。このため、固定子巻線が固定子コアの側面との間で放電を生じようとしても、固定子コアの側面までの沿面距離が側面鍔部の表面及び裏面に沿った長い距離となる。沿面距離が長くなることで、固定子コアとの間に絶縁破壊を生じなくなっている。つまり、本発明の回転電機の固定子は、固定子巻線と固定子コアとの間の電気絶縁性が十分に確保された回転電機の固定子となっている。
【００２７】
請求項３に記載の固定子は、請求項２において、さらに絶縁シートが重なり合っている。これにより、より沿面距離が長くなり、固定子コアの端面との間に絶縁破壊を生じなくなっている。
本発明の請求項６に記載の回転電機の固定子は、スロットの内表面に沿って広がるスロット絶縁部と、スロット絶縁部に一体に形成された固定子コアの軸方向の端面に沿って広がる端面鍔部と、スロット絶縁部に一体に形成された固定子コアのスロットの開口した側面に沿って広がる側面鍔部と、を有する絶縁部材を有している。つまり、本発明の回転電機の固定子は、固定子巻線と固定子コアとの間に絶縁部材が位置している。このため、固定子巻線に皮膜欠損部があっても、絶縁部材により固定子コアとの間で絶縁破壊を生じなくなっている。つまり、本発明の回転電機の固定子は、固定子巻線と固定子コアとの間の電気絶縁性が十分に確保された回転電機の固定子となっている。
そして、側面鍔部がさらに絶縁シートが重なり合っている。これにより、より沿面距離が長くなり、固定子コアの端面との間に絶縁破壊を生じなくなっている。
請求項５に記載の固定子は、隣接する二つの絶縁部材のそれぞれの端面鍔部が重なり合っている。このため、コイルを形成する固定子巻線の固定子コアの端面から突出した部分に加工傷等が発生しても、固定子コアの端面までの沿面距離が端面鍔部の表面及び裏面に沿った距離となり、固定子コアの端面との間に絶縁破壊を生じなくなっている。つまり、本発明の回転電機の固定子は、固定子巻線と固定子コアとの間の電気絶縁性が十分に確保された回転電機の固定子となっている。
請求項６に記載の固定子は、請求項４〜５において、さらに絶縁シートが重なり合っている。これにより、より沿面距離が長くなり、固定子コアの端面との間に絶縁破壊を生じなくなっている。
【発明を実施するための最良の形態】
【００２８】
以下、本発明を実施の形態で具体的に説明する。
【００２９】
（第一参考形態）
本参考形態の回転電機の固定子を用いた回転電機の構成を図１に示した。この回転電機は、略円筒状の固定子１と、固定子１の軸心部に回転自在に収容された回転子２と、を有する。
【００３０】
回転子２は、図１に示したように、径方向の外周面で周方向に交互に異なる磁極が位置するように永久磁石が配置された構成となっている。回転子２は、外周面の磁極が固定子１に対向した状態で形成されている。
【００３１】
固定子１は、図２に示したように、略円筒状の固定子コア１０と、コア１０のスロット１１，１２内に設置された固定子巻線３と、固定子巻線３と固定子コア１０との間の電気絶縁性を確保する絶縁部材４と、を有する。
【００３２】
固定子コア１０には、軸方向に沿ってのび、周方向に隣接するスロット１１，１２を一組として固定子コア１０の内周側の周方向に複数組のスロットが形成されている。固定子巻線３は三相巻線であり、周方向に隣接する一組のスロット１１，１２に各相の固定子巻線３が設置されている。そして、スロット１１，１２を一組として周方向に隣接する三相のスロット１１，１２に異なる相の固定子巻線３が設置されている。
【００３３】
固定子コア１０の軸方向の両端面には、各スロット１１，１２の開口部から所定の距離の範囲内に絶縁皮膜４１が形成されている。絶縁皮膜４１は、図３（ａ）に示した本参考形態のように、固定子コア１０の端面の全面に形成されていることが好ましい。この絶縁皮膜４１は、電気絶縁性を付与できればその材質が限定されるものではなく、エポキシ樹脂やフェノール樹脂よりなる樹脂皮膜とすることができる。
【００３４】
また、絶縁皮膜４１は、固定子コア１０のスロット１１，１２が開口した側面（本参考形態では固定子コア１０の内周面）であって、軸方向の両端部から所定の距離までの範囲内にも形成されている。この固定子コア１０の側面での絶縁皮膜４１の形成された範囲は、本参考形態の固定子の使用状況により適宜決定される。絶縁皮膜４１は、この固定子コア１０の側面の全面に形成してもよい。
【００３５】
さらに、絶縁皮膜４１は、図３（ｂ）に示したように、スロット１１，１２の内面の軸方向の両端部から所定の距離までの範囲内にも形成されていてもよい。
【００３６】
固定子コア１０は、複数枚の金属薄板を積層させてなる。なお、積層された金属薄板の間には、絶縁薄膜が配置されている。ここで、金属薄板および絶縁薄膜の材質や厚さについては従来公知の材質や厚さとすることができる。
【００３７】
固定子巻線３は、図４に示したように、銅製の導体３５と、導体３５の外周を覆い導体３５を絶縁する絶縁皮膜３６とから形成された線材よりなる。
【００３８】
固定子巻線３は、連続巻線で固定子コア１０に波巻されており、固定子コア１０に開口したスロット１１，１２に収容されるスロット収容部３０と、固定子コア１０の軸方向の端面から突出したターン部３１を有し、全体でコイルを形成している。また、図５〜６に示したように、固定子巻線３は、スロット１１，１２内に、径方向に複数層が並んだ状態で配設されている。
【００３９】
固定子巻線３のスロット収容部３０は、絶縁シートを巻回して筒状に成形してなるスロット絶縁部材４０内に収容された状態で、スロット１１，１２に収容される。スロット絶縁部材４０は、径方向に複数並んだ状態の複数の複数のスロット収容部３０をその内部に配した状態でスロット１１，１２に収容される。
【００４０】
スロット絶縁部材４０は、固定子コア１０の側面でのスロット１１，１２側で端部が重なり合った状態で、複数のスロット収容部３０を巻回した絶縁シートよりなる。スロット絶縁部材４０を構成する絶縁シートは、電気絶縁性を備えたシート状の部材であれば特に限定されるものではなく、従来の固定子で用いられている絶縁紙を用いることができる。
【００４１】
スロット絶縁部材４０は、その軸方向の長さが固定子コア１０の軸方向の長さと一致し、軸方向の両端部が固定子コア１０の両端面に一致した状態で配されている。
【００４２】
本参考形態においては、スロット絶縁部材４０と絶縁皮膜４１とにより絶縁部材４が構成される。
【００４３】
本参考形態の回転電機の固定子１は、固定子コア１０の表面の所定の位置に絶縁皮膜４１を形成し、その後、スロット１１，１２内にスロット絶縁部材４０を形成するための絶縁シートを収容し、固定子巻線３のスロット収容部３０をスロット１１，１２内に収容して製造することができる。
【００４４】
本参考形態の回転電機の固定子１では、スロット１１，１２に収容された固定子巻線３のスロット収容部３０に皮膜欠損部３２が存在した場合に絶縁破壊が最も起きやすい経路（破壊最短経路）は、スロット収容部３０の表面でのスロット絶縁部材４０の軸方向の端部までの経路と、スロット絶縁部材４０の軸方向の端部からコア露出部までの経路の和となっている。つまり、本参考形態の回転電機の固定子１では、絶縁皮膜４１により皮膜欠損部３２からコア露出部までの距離（破壊最短経路）が長く設定されている。
【００４５】
スロット収容部３０に皮膜欠損部３２が存在した場合の別の破壊最短経路としては、スロット絶縁部材４０の重なり合った端部を回り込むような経路がある。この場合でも、破壊最短経路がスロット絶縁部材４０の重なり合った端部を回り込む経路であることから、コア露出部までの距離が長くなっている。
【００４６】
また、固定子コア１０の端面から突出した固定子巻線３のターン部３１に皮膜欠損部３２が存在した場合の破壊最短経路３７は、図７に示したように、固定子コア１０の端面の内周面との角部までの経路と、この角部からコア露出部までの経路の和となっている。つまり、本参考形態の回転電機の固定子１では、絶縁皮膜４１により皮膜欠損部３２からコア露出部までの距離（破壊最短経路３７）が長く設定されている。
【００４７】
一般に、絶縁破壊を生じるために必要な電圧は、図８に示したように、沿面距離が長くなればなるほど、絶縁破壊を生じさせるための電圧が大きくなる。そして、本参考形態では、皮膜欠損部３２からコア露出部までの破壊最短経路３７は、回転電機の駆動時に固定子巻線３の電圧では絶縁破壊が生じない長さとなるように、絶縁皮膜４１の形成された領域（特に、固定子コア１０の内周面での軸方向の長さ）が設定されている。これにより、本参考形態の回転電機の固定子１は、絶縁破壊が生じなくなっている。
【００４８】
上記したように、本参考形態の回転電機の固定子１は、絶縁部材４により固定子巻線３と固定子コア１０との間の電気絶縁性が十分に確保された回転電機の固定子１となっている。
【００４９】
（第二参考形態）
本参考形態の回転電機の固定子を用いた回転電機は、第一参考形態と同様に、略円筒状の固定子１と、固定子１の軸心部に回転自在に収容された回転子２と、を有する。
【００５０】
回転子２は、第一参考形態の時と同様に、径方向の外周面で周方向に交互に異なる磁極が位置するように永久磁石が配置された構成となっている。回転子２は、外周面の磁極が固定子１に対向した状態で形成されている。
【００５１】
固定子１は、略円筒状の固定子コア１０と、コア１０のスロット１１，１２内に設置された固定子巻線３と、固定子巻線３と固定子コア１０との間の電気絶縁性を確保する絶縁部材５を有する。
【００５２】
固定子コア１０は、第一参考形態の時と同様な構成を有し、同様にして固定子巻線３が波巻きされて設置されている。
【００５３】
固定子巻線３は、第一参考形態の時と同様に、銅製の導体３５と、導体３５の外周を覆い導体３５を絶縁する絶縁皮膜３６とから形成された線材である。
【００５４】
固定子巻線３は、連続巻線で固定子コア１０に波巻されており、固定子コア１０に開口したスロット１１，１２に収容されるスロット収容部３０と、固定子コア１０の軸方向の端面から突出したターン部３１を有し、全体でコイルを形成している。また、固定子巻線３は、スロット１１，１２内に、径方向にスロット収容部３０が複数層が並んだ状態で配設されている。
【００５５】
絶縁部材５は、図９に示したように、スロット１１，１２の内表面に沿って広がるスロット絶縁部５０と、スロット絶縁部５０の軸方向の端部に一体に形成された固定子コアの軸方向の端面に沿って広がる端面鍔部５１と、スロット絶縁部５０に一体に形成された固定子コア１０のスロット１１，１２の開口した側面に沿って広がる側面鍔部５２と、からなる。この絶縁部材５は、電気絶縁性を備えた材質であればその材質が特に限定されるものではなく、従来の固定子で用いられている絶縁紙を用いることができる。
【００５６】
スロット絶縁部５０は、スロット１１，１２の内周形状と略一致する形状に形成されている。
【００５７】
端面鍔部５１および側面鍔部５２は、絶縁部材５がスロット１１，１２に組み付けられたときに、隣接する絶縁部材５の鍔部５１，５２同士が周方向で重なり合うように、固定子コア１０の端面または内周面の形状に沿って広がる形状で形成されている。ここで、本参考形態では、端面鍔部５１は、固定子コア１０の端面の径方向外方の周縁部が露出している。
【００５８】
本参考形態において、絶縁部材５は、それぞれのスロット１１，１２に組み付けられる。ここで、絶縁部材５が組み付けられた状態では、図１０〜１１に示したように、固定子コア１０の軸方向の端面および内周面は、重なり合った鍔部５１，５２により完全に被覆されている。
【００５９】
本参考形態の回転電機の固定子１は、固定子コア１０の全てのスロット１１，１２に絶縁部材５を組み付けた後に、固定子巻線３をスロット１１，１２内に収容して製造することができる。
【００６０】
本参考形態の回転電機の固定子１では、固定子コア１０の端面から突出した固定子巻線３のターン部３１に皮膜欠損部３２が存在した場合の破壊最短経路３７は、図１２に示したように、固定子コア１０の端面の周縁部までの距離となっている。つまり、本参考形態の回転電機の固定子１では、皮膜欠損部３２から固定子コア１０の周縁部までの距離（破壊最短経路３７）が端面鍔部５１により長く設定されている。
【００６１】
また、端面鍔部５１の時と同様に、重なり合った側面鍔部５２により固定子コア１０の側面までの距離も長く設定されている。
【００６２】
上記したように、絶縁破壊を生じるために必要な電圧は、破壊最短経路が長くなればなるほど、絶縁破壊を生じさせるための電圧が大きくなる。すなわち、本参考形態においても、第一参考形態の時と同様に、固定子巻線３と固定子コア１０との間の電気絶縁性が十分に確保された回転電機の固定子１となっている。
【００６３】
本参考形態においては、端面鍔部５１は、固定子コア１０の端面の周縁部が露出する形状に（径方向の長さが固定子コア１０の内径よりも短く）形成されていたが、端面鍔部５１を固定子コア１０の端面を完全に被覆できる形状に形成すると、より固定子巻線３と固定子コア１０との間の電気絶縁性を確保することができる。
【００６４】
（第一実施形態）
本実施形態は、図１３に示したように、固定子コア１０の軸方向の端面と端面鍔部５１との間に絶縁シート５３を配していること以外は第二参考形態と同様な回転電機の固定子である。
【００６５】
絶縁シート５３は、固定子コア１０の軸方向の端面と略一致する形状に形成されている。絶縁シート５３は、電気絶縁性を備えた材質であればその材質が特に限定されるものではなく、絶縁部材５と同様に絶縁紙を用いることができる。
【００６６】
本実施形態は、固定子コア１０の端面上に絶縁シート５３を配した状態で、絶縁部材５および固定子巻線３を組み付けることで製造できる。
【００６７】
本実施形態の回転電機の固定子は、破壊最短経路が、重なり合った二つの端面鍔部５１を回り込んだ後にさらに、絶縁シート５３を回り込むようになっている。つまり、端面鍔部５１の合わせ代が固定子コア１０の端面の幅より小さい場合、固定子コア１０の端面の幅と同様の絶縁シート５３を配すると、本実施形態の回転電機の固定子１では、皮膜欠損部からコア露出部までの距離がさらに長く設定されている。これにより、本実施形態の回転電機の固定子１は、固定子巻線３と固定子コア１０との間の電気絶縁性が十分に確保された回転電機の固定子１となっている。
【００６８】
（第二実施形態）
本実施形態は、固定子コア１０の径方向の内周面と側面鍔部５２との間に絶縁シートを配していること以外は第二参考形態と同様な回転電機の固定子である。
【００６９】
絶縁シートは、固定子コア１０の軸方向の端面と略一致する形状に形成されている。絶縁シートは、電気絶縁性を備えた材質であればその材質が特に限定されるものではなく、絶縁部材５と同様に絶縁紙を用いることができる。
【００７０】
本実施形態は、固定子コア１０の内周面上に絶縁シートを配した状態で、絶縁部材５および固定子巻線３を組み付けることで製造できる。
【００７１】
本実施形態の回転電機の固定子は、破壊最短経路が、重なり合った二つの側面鍔部５２を回り込んだ後にさらに、絶縁シートを回り込むようになっている。つまり、本実施形態の回転電機の固定子１では、皮膜欠損部からコア内周面までの距離がさらに長く設定されている。これにより、本実施形態の回転電機の固定子１は、固定子巻線３と固定子コア１０との間の電気絶縁性が十分に確保された回転電機の固定子１となっている。
【００７２】
（その他の形態）
なお、上記の各実施形態においては、固定子１が回転子２の外周に配置された回転電機の固定子１が説明されていたが、回転子が固定子の外周に配された構成の回転電機に本発明を用いてもよい。
【図面の簡単な説明】
【００７３】
【図１】第一参考形態の回転電機の構成を示した図である。
【図２】第一参考形態の回転電機の固定子の斜視図である。
【図３】第一参考形態の回転電機の固定子の絶縁皮膜を示した図である。
【図４】第一参考形態の固定子巻線の断面図である。
【図５】第一参考形態の回転電機の固定子のスロット近傍を示した図である。
【図６】第一参考形態の回転電機の固定子のスロット近傍を示した断面図である。
【図７】第一参考形態の回転電機の固定子の破壊最短経路を示した図である。
【図８】沿面距離と絶縁破壊電圧の関係を示したグラフである。
【図９】第二参考形態の回転電機の固定子の絶縁部材を示した図である。
【図１０】第二参考形態の回転電機の固定子の絶縁部材が組み付けられた固定子コアを示した図である。
【図１１】第二参考形態の回転電機の固定子のスロット近傍を示した図である。
【図１２】第二参考形態の回転電機の固定子の破壊最短経路を示した図である。
【図１３】第一実施形態の回転電機の固定子のスロット近傍の断面図である。
【符号の説明】
【００７４】
１：固定子                      １０：固定子コア
１１，１２：スロット
２：回転子
３：固定子巻線                  ３０：スロット収容部
３１：ターン部                  ３２：皮膜欠損部
３５：導体                      ３６：絶縁皮膜
３７：破壊最短経路
４：絶縁部材                    ４０：スロット絶縁部材
４１：絶縁皮膜
５：絶縁部材                    ５０：スロット絶縁部
５１：端面鍔部                  ５２：側面鍔部
５３：絶縁シート
【図１】
0005286735.tif 000002
【図２】
0005286735.tif 000003
【図３】
0005286735.tif 000004
【図４】
0005286735.tif 000005
【図５】
0005286735.tif 000006
【図６】
0005286735.tif 000007
【図７】
0005286735.tif 000008
【図８】
0005286735.tif 000009
【図９】
0005286735.tif 000010
【図１０】
0005286735.tif 000011
【図１１】
0005286735.tif 000012
【図１２】
0005286735.tif 000013
【図１３】
0005286735.tif 000014